(57)【特許請求の範囲】
【請求項１】
内容物を注出するノズル部（９）先端に切り離し開封可能な切取蓋（８）を設けた容器本体（１）と、ノズル部（９）側に軸芯方向に沿って挿脱可能に装着されるキャップ（２）とからなる容器において、上記キャップ装着状態で切取蓋（８）の軸芯回りの回動を規制し、切取蓋（８）の外周と適合して嵌合状態で切取蓋（８）を収容する収容部（１８）を上部キャップ（２）側に設けるとともに、キャップ（２）とノズル部（９）とを軸芯回りに回動可能に装着し、前記ノズル部（９）と切取蓋（８）との間には切取蓋（８）に対するノズル部（９）の回動により両者が切り離される切り離し部（１４）を設け、切取蓋（８）の周面と収容部（１８）の内面との間には、キャップ装着状態及び切取蓋（８）の切離し状態で切取蓋（８）を収容部（１８）内の軸芯方向の定位置に固定するための凹凸部からなるデテント部（１９）を形成してなる接着剤等の充填容器。
【請求項２】
容器本体（１）とキャップ（２）の少なくとも一方が弾力性を備えた弾性部材からなる請求項１の接着剤等の充填容器。
【請求項３】
切り離し部（１４）の断面内に容器本体（１）内に連通し、切取蓋（８）の切り離し後に内容物を注出する軸芯方向のノズル孔（１７）を形成した請求項１又は２の接着剤等の充填容器。
【請求項４】
切取蓋（８）を箱型若しくはブロック状に形成し、デテント部（１９）を切取蓋（８）の前後周面の中央位置に形成した請求項１又は２又は３の接着剤等の充填容器。
【請求項５】
キャップ（２）と容器本体（１）を外部と密閉するように嵌合する構造とし、両者の嵌合面にキャップ（２）と容器本体（１）の装着状態を定位置で固定するデテント部（１３）を設けてなる請求項１又は２又は３又は４の接着剤等の充填容器。
【発明の詳細な説明】
【０００１】
【発明の属する技術分野】
この発明は接着剤その他の主として流動性に富んだ液状又はペースト状充填物を充填するための接着剤等の充填容器に関する。
【０００２】
【従来の技術】
従来瞬間接着剤その他の流動性に富んだ液状充填物の収容に適したポリエチレン等のプラスチック容器は、ノズル部先端にピンで小径のノズル孔を開け又は小径のノズル孔を備えて密閉されたノズル先端を切除開封して充填内容物を塗布するとともに、上記ノズル孔にはピンを差し込み又はノズル部先端にキャップを密着嵌合して再使用のために保存するものが知られている。
【０００３】
【発明が解決しようとする課題】
しかし上記のような従来の容器は、ピンでノズル孔を開ける際やノズル部先端を切除する際に、容器本体を把持する把持圧によって内容物が噴出し、皮膚や衣服等に付着する等の危険があるほか、切開後ピンやキャップが外れる等の欠点があった。
この発明はこれらの問題点を解消するために、ノズル先端を切除して開封する切開型の充填容器を提供するものである。
【０００４】
【課題を解決するための手段】
上記問題点を解消するための本発明の容器は、第１に内容物を注出するノズル部９先端に切り離し開封可能な切取蓋８を設けた容器本体１と、ノズル部９側に軸芯方向に沿って挿脱可能に装着されるキャップ２とからなる容器において、上記キャップ装着状態で切取蓋８の軸芯回りの回動を規制し、切取蓋８の外周と適合して嵌合状態で切取蓋８を収容する収容部１８を上部キャップ２側に設けるとともに、キャップ２とノズル部９とを軸芯回りに回動可能に装着し、前記ノズル部９と切取蓋８との間には切取蓋８に対するノズル部９の回動により両者が切り離される切り離し部１４を設け、切取蓋８の周面と収容部１８の内面との間には、キャップ装着状態及び切取蓋８の切離し状態で切取蓋８を収容部１８内の軸芯方向の定位置に固定するための凹凸部からなるデテント部１９を形成してなることを特徴としている。
【０００５】
第２に、容器本体１とキャップ２の少なくとも一方が弾力性を備えた弾性部材からなることを特徴としている。
【０００６】
第３に、切り離し部１４の断面内に容器本体１内に連通し、切取蓋８の切り離し後に内容物を注出する軸芯方向のノズル孔１７を形成したことを特徴としている。
【０００７】
第４に、切取蓋８を箱型若しくはブロック状に形成し、デテント部１９を切取蓋８の前後周面の中央位置に形成したことを特徴としている。
【０００８】
第５に、キャップ２と容器本体１を外部と密閉するように嵌合する構造とし、両者の嵌合面にキャップ２と容器本体１の装着状態を定位置で固定するデテント部１３を設けてなることを特徴としている。
【０００９】
【発明の実施の形態】
図１，図２は例えば全長７０mm，径１０mm程度のサイズの本発明の容器の全体構造を示す部分断面で、全体は容器本体１とキャップ２及び底蓋３はポリエチレン等の弾力性を備えた透明又は半透明のプラスチック材からなる。容器本体１は下端にねじ付のスリーブ４を一体成形している筒状の本体部７と、本体部７の上端に下端を連接し、上端に切取蓋８を連設している円錐筒状のノズル部９とからなる。
【００１０】
ねじ付のスリーブ４は、接着剤等の液状の内容物を充填するために開口端をなし、ねじ付スリーブ４には底蓋３がねじ込み固定されるが、底蓋３の内部中央には上記ねじ付スリーブ４内に押込嵌合されて本体部７底部を密閉するように差込スリーブ１１が形成されている。
【００１１】
ノズル部９はその下端部がキャップ２の下端部と密着嵌合するように、本体部７より小径で所定長さの円筒からなる嵌合周面１２を形成し（図４（Ｂ）参照）、キャップ２の下端内周面との間には、キャップ嵌合時に定位置で一定の固定力で両者を弾力的に固定して抜け止め作用させるとともに、嵌合の密閉性を高めるデテント部１３が設けられている。デテント部１３は互いに嵌合し合う円弧状断面のリング状の凹凸からなる周知の形状である。
【００１２】
また切取蓋８はノズル部９の先端には、周方向の切込溝状に形成されたくびれ部からなる切り離し部１４を介して一体的に連設され、図４（Ａ）に示すように平面図が角型又は扁平状等の非円形の箱型若しくはブロック状等に形成されている。図示する切取蓋８は内部がリング状の中空部１６が形成されており、切り離し部１４の中央には軸芯方向の小径の孔からなるノズル孔１７が形成され、切取蓋８の中空部と連通している。このノズル孔１７は後述するように、切り離し部１４がねじ切られた時も内容物を注出するノズル孔として残される。
【００１３】
キャップ２内の最深部は、上記ノズル部９及び切取蓋８をキャップ２に軸芯方向に挿入した時に、切取蓋８の外周と適合して嵌合状態で収容する収容部１８となっており（図４（Ａ）参照）、容器本体１に対しキャップ２を回動させると、切取蓋８がキャップ２と共に回動して切り離し部１４においてねじ切られて切り離されるように構成されている。
【００１４】
また切取蓋８の前後周面の中央と、キャップ装着状態におけるキャップ２側の収容部１８の内面との間には、キャップ装着状態及び切取蓋８の切り離し状態で、切取蓋８を収容部１８内の定位置に弾力的に固定するための球面状の凸部と、これに対する皿状又は球面状の凹部からなるデテント部１９が形成されている。
【００１５】
キャップ２の上端外周には前後両側に切欠状の平面が形成され、キャップ回動操作時のつまみ部２１となるように形成されるほか、キャップ２の両端外周にもキャップ回動操作時の滑り止め用のスプライン状の凹凸（ローレット加工でもよい）２２が形成されている。
【００１６】
上記のように構成される本発明の容器は、先ずキャップ２を容器本体１に装着した後、下端開口部より内容物を充填するが、内容物取出時には容器本体１に対してキャップ２を軸芯回りに相対回動させることにより、ノズル部９の先端の切取蓋８が切り離し部１４において切り離されるとともに開封される。
【００１７】
この時ノズル部９の先端のノズル孔１７は切り離された切り離し部１４が弾力的に押接し合っているので密閉状態にあり、内容物の噴出が防止される。仮に噴出しても密閉されたキャップ２内に留まり、外部に噴出されることはない。
【００１８】
次いでデテント部１３の固定力に抗してキャップ２を軸方向に抜き取ると、図３に示すように切取蓋８はデテント部１９によってキャップ２内の収容部１８の定位置に残されたままになっている。内容物取り出し後ノズル部９の先端を密閉する時は、再度キャップ２をノズル部９に装着することによりノズル部９先端側は外部より密閉され、さらにノズル孔１７は切取蓋８の下端に残存する一方の切り離し部１４の表面に押接されて密閉される。この時切取蓋８側に残された小径のノズル孔１７は付着残存した接着剤によって塞がれており、ノズル部９の先端が開放状態となることはない。
【００１９】
【発明の効果】
以上のように構成される本発明によれば、安価で簡便な切開型の容器を開封して内容物を取り出す際に、ノズルの切断開封時に液状内容物の噴出による皮膚や衣服その他への付着等の不都合が防止されるとともに、開封後の保管に際しても、開栓による内容物の漏出も防止され、接着剤等の再利用時までの品質劣化も防止できる利点がある。
【図面の簡単な説明】
【図１】  本発明容器の全体構造図を示す要部断面側面図である。
【図２】  同じく容器の全体構造を示す要部断面正面図である。
【図３】  容器ノズル部へのキャップの挿脱状態を示す部分正面図である。
【図４】  （Ａ），（Ｂ）は図２のＡ−Ａ及びＢ−Ｂ断面図である。
【符号の説明】
１    容器本体
２    キャップ
８    切取蓋
９    ノズル部
１３  デテント部
１４  切り離し部
１７  ノズル孔
１８  蓋収容部
１９  デテント部
【図１】
0003804914.tif 000002
【図２】
0003804914.tif 000003
【図３】
0003804914.tif 000004
【図４】
0003804914.tif 000005